(57)【要約】【課題】  本発明によれば、さまざまなピッチの画素に対して表示品位の低下を抑制した液晶表示装置を提供する。【解決手段】本発明による液晶表示装置（１００）において、画素電極（１２４）は、第１方向（Ｆ１）に延びるエッジ（１２４ｓ１、１２４ｓ２）を有する第１部分電極（１２４ａ）と、第１方向（Ｆ１）と直交する第２方向（Ｆ２）に延びるエッジ（１２４ｓ３、１２４ｓ４）を有する第２部分電極（１２４ｂ）とを備えている。行方向と第１方向（Ｆ１）とのなす角度（θ）は、行方向と第２方向（Ｆ２）とのなす角度（９０°−θ）とは異なり、画素の行方向のピッチ（Ｐ）を第２方向（Ｆ２）に投影した成分の長さ（ｐａ）は画素の行方向のピッチ（Ｐ）を第１方向（Ｆ１）に投影した成分の長さ（ｐｂ）とは異なる。【選択図】図２
2010048905.tif 000002
【特許請求の範囲】
【請求項１】
それぞれが画素を規定する複数の画素電極であって、複数の行および複数の列のマトリクス状に配列された複数の画素電極を有するアクティブマトリクス基板と、
対向電極を有する対向基板と、
前記アクティブマトリクス基板と前記対向基板との間に設けられた垂直配向型の液晶層と
を備える、液晶表示装置であって、
前記複数の画素電極のそれぞれは、第１部分電極と、第２部分電極とを有しており、
前記第１部分電極は、前記複数の画素電極の配列された前記複数の行の方向を規定する行方向に対して斜めの第１方向と平行に延びる第１エッジおよび第２エッジを有しており、
前記２部分電極は、前記第１方向と直交する第２方向と平行に延びる第３エッジおよび第４エッジを有しており、
前記対向基板は、前記液晶層側に設けられた線状の第１対向配向規制構造体と、前記液晶層側に設けられた線状の第２対向配向規制構造体とをさらに有しており、
前記第１対向配向規制構造体は、前記複数の画素電極のそれぞれの前記第１部分電極に対向して前記第１方向と平行に延びており、
前記第２対向配向規制構造体は、前記複数の画素電極のそれぞれの前記第２部分電極に対向して前記第２方向と平行に延びており、
前記第１方向と前記行方向とのなす角度は前記第２方向と前記行方向とのなす角度とは異なり、前記画素の前記行方向のピッチを前記第１方向に投影した成分の長さは前記画素の前記行方向のピッチを前記第２方向に投影した成分の長さとは異なる、液晶表示装置。
【請求項２】
前記第２方向と平行な方向に沿った前記第１部分電極の幅は前記第１方向と平行な方向に沿った前記第２部分電極の幅とは異なる、請求項１に記載の液晶表示装置。
【請求項３】
前記第１方向と前記行方向とのなす角度は前記第２方向と前記行方向とのなす角度よりも小さく、
前記画素の前記行方向のピッチを前記第１方向に投影した成分の長さは前記画素の前記行方向のピッチを前記第２方向に投影した成分の長さよりも大きい、請求項１または２に記載の液晶表示装置。
【請求項４】
前記液晶層は、前記第１部分電極と前記対向電極との間に位置する第１液晶ドメインおよび第２液晶ドメインと、前記第２部分電極と前記対向電極との間に位置する第３液晶ドメインおよび第４液晶ドメインとを有しており、
前記第１液晶ドメインおよび前記第２液晶ドメインは、少なくとも前記液晶層に電圧を印加した際に前記第１方向と平行に延びる第１対向配向規制構造体に対して互いに直交に向かい合う配向方位成分を有する液晶分子を含んでおり、
前記第３液晶ドメインおよび前記第４液晶ドメインは、少なくとも前記液晶層に電圧を印加した際に前記第２方向と平行に延びる第２対向配向規制構造体に対して互いに直交に向かい合う配向方位成分を有する液晶分子を含んでいる、請求項１から３のいずれかに記載の液晶表示装置。
【請求項５】
前記アクティブマトリクス基板は、前記液晶層側において前記第１部分電極に対応する第１画素配向規制構造体と、前記液晶層側において前記第２部分電極に対応する第２画素配向規制構造体とをさらに有しており、
前記第１画素配向規制構造体は前記第１部分電極の前記第１エッジおよび前記第２エッジを含んでおり、前記第２画素配向規制構造体は前記第２部分電極の前記第３エッジおよび前記第４エッジを含んでおり、
前記第１対向配向規制構造体および前記第２対向配向規制構造体のそれぞれは、少なくとも１つのリブまたはスリットを含み、
前記液晶層は、
前記第１液晶ドメインの形成される少なくとも１つの第１液晶ドメイン領域と、
前記第２液晶ドメインの形成される少なくとも１つの第２液晶ドメイン領域と、
前記第３液晶ドメインの形成される少なくとも１つの第３液晶ドメイン領域と、
前記第４液晶ドメインの形成される少なくとも１つの第４液晶ドメイン領域と
を有しており、
前記第１液晶ドメイン領域および前記第２液晶ドメイン領域のそれぞれは、前記第１対向配向規制構造体と前記第１画素配向規制構造体との間に規定されており、
前記第３液晶ドメイン領域および前記第４液晶ドメイン領域のそれぞれは、前記第２対向配向規制構造体と前記第２画素配向規制構造体との間に規定されている、請求項４に記載の液晶表示装置。
【請求項６】
前記第１液晶ドメイン領域、前記第２液晶ドメイン領域、前記第３液晶ドメイン領域および前記第４液晶ドメイン領域のそれぞれの幅は所定の範囲内にある、請求項５に記載の液晶表示装置。
【請求項７】
前記第１液晶ドメイン領域、前記第２液晶ドメイン領域、前記第３液晶ドメイン領域および前記第４液晶ドメイン領域のそれぞれの幅は１８μｍ以上２３．５μｍ未満の範囲内にある、請求項６に記載の液晶表示装置。
【請求項８】
前記アクティブマトリクス基板に設けられた第１偏光板と、
前記対向基板に設けられた第２偏光板と
をさらに備えており、
前記第１偏光板および前記第２偏光板のうちの一方の偏光板は、前記複数の画素電極の配列された前記複数の列の方向を規定する列方向と前記行方向との中間方向に対して前記第１方向と前記行方向とのなす角度だけずれた透過軸を有しており、
前記第１偏光板および前記第２偏光板のうちの他方の偏光板は、前記中間方向と直交する方向に対して前記第１方向と前記行方向とのなす角度だけずれた透過軸を有している、請求項１から７のいずれかに記載の液晶表示装置。
【請求項９】
前記第１部分電極の前記第１エッジは前記第２部分電極の前記第３エッジと連続しており、前記第１部分電極の前記第２エッジは前記第２部分電極の前記第４エッジと連続している、請求項１から８のいずれかに記載の液晶表示装置。
【請求項１０】
前記第１対向配向規制構造体および前記第２対向配向規制構造体の少なくとも一方の対向配向規制構造体は互いに平行に配置された複数のリブまたはスリットを含んでおり、
前記第１画素配向規制構造体および前記第２画素配向規制構造体のうち、前記少なくとも一方の対向配向規制構造体に対応する画素配向規制構造体は、前記複数のリブまたはスリットの間の対向する位置に設けられたスリットまたはリブを含む、請求項５から７のいずれかに記載の液晶表示装置。
【請求項１１】
前記第１液晶ドメイン領域および前記第２液晶ドメイン領域のそれぞれの数は、前記第３液晶ドメイン領域および前記第４液晶ドメイン領域のそれぞれの数とは異なる、請求項５から７のいずれかに記載の液晶表示装置。
【発明の詳細な説明】
【技術分野】
【０００１】
本発明は液晶表示装置に関する。
【背景技術】
【０００２】
液晶表示装置は、携帯電話の表示部等の小型の表示装置だけでなく大型テレビジョンとしても利用されている。従来しばしば用いられたＴＮ（Ｔｗｉｓｔｅｄ  Ｎｅｍａｔｉｃ）モードの液晶表示装置の視野角は比較的狭かったが、近年、ＩＰＳ（Ｉｎ−Ｐｌａｎｅ―Ｓｗｉｔｃｈｉｎｇ）モードおよびＶＡ（Ｖｅｒｔｉｃａｌ  Ａｌｉｇｎｍｅｎｔ）モードといった広視野角の液晶表示装置が作製されている。そのような広視野角のモードの中でも、ＶＡモードは高コントラスト比を実現できるため、多くの液晶表示装置に採用されている。
【０００３】
ＶＡモードの一種として、１つの画素領域に複数の液晶ドメインを形成するＭＶＡ（Ｍｕｔｌｉ−ｄｏｍａｉｎ  Ｖｅｒｔｉｃａｌ  Ａｌｉｇｎｍｅｎｔ）モードが知られている。これらのモードの液晶表示装置では、垂直配向型液晶層を挟んで対向する一対の基板のうちの少なくとも一方の液晶層側に配向規制構造体が設けられている。配向規制構造体は、例えば、電極に設けられた線状のスリット（開口部）またはリブ（突起構造）である。なお、このようなＭＶＡモードのうち、両方の基板に電極スリットが設けられたものは特にＰＶＡ（Ｐａｔｔｅｎｅｄ  Ｖｅｒｔｉｃａｌ  Ａｌｉｇｎｍｅｎｔ）モードとも呼ばれている。
【０００４】
少なくとも液晶層に電圧が印加された際に、配向規制構造体によって液晶層の一方または両側から配向規制力が付与され、液晶分子は配向規制構造体の延びている方向に対して垂直に配向する。ＭＶＡモードの液晶表示装置では配向規制構造体が直交する線状成分を有しており、配向方向の異なる複数の液晶ドメイン（典型的には４つの液晶ドメイン）が形成され、視野角特性の改善が図られている。
【０００５】
特許文献１には、ＴＦＴ基板および対向基板の液晶層側にジグザグ形状（屈曲形状）のドメイン規制手段（配向規制構造体）を形成することが開示されている。このような配向規制構造体により、４つの方向に液晶ドメインが形成され、視野角特性の改善が行われる。また、特許文献１には、配向規制構造体だけでなく画素電極も屈曲形状に形成することが開示されている。これにより、画素電極のエッジ近傍の斜め電界に起因した配向規制方向とリブやスリットによる配向規制方向との不整合が抑制され、配向乱れの発生が抑制される。
【０００６】
また、配向規制構造体の配置に応じて液晶表示装置の表示特性が変化することが知られている（例えば、特許文献２参照）。特許文献２には、対向基板の液晶層側に設けられた配向規制構造体（例えば、リブやスリット）の幅や、ＴＦＴ基板の液晶層側に設けられた配向規制構造体（例えば、スリット）の幅よりもそれらの間に規定された液晶領域（液晶ドメイン領域）の幅の調整が応答速度の改善に有効であることが開示されている。
【０００７】
また、特許文献２では、液晶ドメイン領域の幅と表示特性との関係が検討されている。液晶領域の幅が大きいほど、応答速度が低下してしまう。また、液晶領域の幅が小さいほど、開口率が低下してしまう。このため、特許文献２には、応答速度および開口率を考慮して、液晶ドメイン領域の幅を適切な範囲内に設定することが記載されている。また、２つの基板の液晶層側に設けられた配向規制構造体の幅は開口率や設計上の問題から所定の範囲内に設定されている。
【特許文献１】特開平１１−２４２２２５号公報
【特許文献２】特開２００５−２９２５１５号公報
【発明の開示】
【発明が解決しようとする課題】
【０００８】
現在、さまざまな解像度およびサイズの液晶表示装置が作製されており、一般に、各解像度に対してさまざまなサイズの液晶表示装置が作製されている。例えば、解像度１３６６×７６８のハイビジョン規格や解像度１９２０×１０８０のフルハイビジョン規格に準拠したさまざまなサイズの液晶表示装置を用いたテレビジョン装置が作製されている。
【０００９】
液晶表示装置の画素のピッチは液晶表示装置の解像度やサイズに基づいて決定される。本願発明者は、あるピッチの画素に対しては応答速度および開口率を考慮した適切な距離や幅で配向規制構造体の配置を行うことが可能であるが、別のピッチの画素に対して適切な距離や幅で配向規制構造体の配置を行うことができず、この場合、応答速度および開口率の少なくとも一方が低下して、表示品位が低下してしまうことを見出した。
【００１０】
本発明は、上記課題を鑑みてなされたものであり、その目的は、さまざまなピッチの画素に対して表示品位の低下を抑制した液晶表示装置を提供することにある。
【課題を解決するための手段】
【００１１】
本発明による液晶表示装置は、それぞれが画素を規定する複数の画素電極であって、複数の行および複数の列のマトリクス状に配列された複数の画素電極を有するアクティブマトリクス基板と、対向電極を有する対向基板と、前記アクティブマトリクス基板と前記対向基板との間に設けられた垂直配向型の液晶層とを備える、液晶表示装置であって、前記複数の画素電極のそれぞれは、第１部分電極と、第２部分電極とを有しており、前記第１部分電極は、前記複数の画素電極の配列された前記複数の行の方向を規定する行方向に対して斜めの第１方向と平行に延びる第１エッジおよび第２エッジを有しており、前記２部分電極は、前記第１方向と直交する第２方向と平行に延びる第３エッジおよび第４エッジを有しており、前記対向基板は、前記液晶層側に設けられた線状の第１対向配向規制構造体と、前記液晶層側に設けられた線状の第２対向配向規制構造体とをさらに有しており、前記第１対向配向規制構造体は、前記複数の画素電極のそれぞれの前記第１部分電極に対向して前記第１方向と平行に延びており、前記第２対向配向規制構造体は、前記複数の画素電極のそれぞれの前記第２部分電極に対向して前記第２方向と平行に延びており、前記第１方向と前記行方向とのなす角度は前記第２方向と前記行方向とのなす角度とは異なり、前記画素の前記行方向のピッチを前記第１方向に投影した成分の長さは前記画素の前記行方向のピッチを前記第２方向に投影した成分の長さとは異なる。
【００１２】
ある実施形態において、前記第２方向と平行な方向に沿った前記第１部分電極の幅は前記第１方向と平行な方向に沿った前記第２部分電極の幅とは異なる。
【００１３】
ある実施形態において、前記第１方向と前記行方向とのなす角度は前記第２方向と前記行方向とのなす角度よりも小さく、前記画素の前記行方向のピッチを前記第１方向に投影した成分の長さは前記画素の前記行方向のピッチを前記第２方向に投影した成分の長さよりも大きい。
【００１４】
ある実施形態において、前記液晶層は、前記第１部分電極と前記対向電極との間に位置する第１液晶ドメインおよび第２液晶ドメインと、前記第２部分電極と前記対向電極との間に位置する第３液晶ドメインおよび第４液晶ドメインとを有しており、前記第１液晶ドメインおよび前記第２液晶ドメインは、少なくとも前記液晶層に電圧を印加した際に前記第１方向と平行に延びる第１対向配向規制構造体に対して互いに直交に向かい合う配向方位成分を有する液晶分子を含んでおり、前記第３液晶ドメインおよび前記第４液晶ドメインは、少なくとも前記液晶層に電圧を印加した際に前記第２方向と平行に延びる第２対向配向規制構造体に対して互いに直交に向かい合う配向方位成分を有する液晶分子を含んでいる。
【００１５】
ある実施形態において、前記アクティブマトリクス基板は、前記液晶層側において前記第１部分電極に対応する第１画素配向規制構造体と、前記液晶層側において前記第２部分電極に対応する第２画素配向規制構造体とをさらに有しており、前記第１画素配向規制構造体は前記第１部分電極の前記第１エッジおよび前記第２エッジを含んでおり、前記第２画素配向規制構造体は前記第２部分電極の前記第３エッジおよび前記第４エッジを含んでおり、前記第１対向配向規制構造体および前記第２対向配向規制構造体のそれぞれは、少なくとも１つのリブまたはスリットを含み、前記液晶層は、前記第１液晶ドメインの形成される少なくとも１つの第１液晶ドメイン領域と、前記第２液晶ドメインの形成される少なくとも１つの第２液晶ドメイン領域と、前記第３液晶ドメインの形成される少なくとも１つの第３液晶ドメイン領域と、前記第４液晶ドメインの形成される少なくとも１つの第４液晶ドメイン領域とを有しており、前記第１液晶ドメイン領域および前記第２液晶ドメイン領域のそれぞれは、前記第１対向配向規制構造体と前記第１画素配向規制構造体との間に規定されており、前記第３液晶ドメイン領域および前記第４液晶ドメイン領域のそれぞれは、前記第２対向配向規制構造体と前記第２画素配向規制構造体との間に規定されている。
【００１６】
ある実施形態において、前記第１液晶ドメイン領域、前記第２液晶ドメイン領域、前記第３液晶ドメイン領域および前記第４液晶ドメイン領域のそれぞれの幅は所定の範囲内にある。
【００１７】
ある実施形態において、前記第１液晶ドメイン領域、前記第２液晶ドメイン領域、前記第３液晶ドメイン領域および前記第４液晶ドメイン領域のそれぞれの幅は１８μｍ以上２３．５μｍ未満の範囲内にある。
【００１８】
ある実施形態において、前記液晶表示装置は、前記アクティブマトリクス基板に設けられた第１偏光板と、前記対向基板に設けられた第２偏光板とをさらに備えており、前記第１偏光板および前記第２偏光板のうちの一方の偏光板は、前記複数の画素電極の配列された前記複数の列の方向を規定する列方向と前記行方向との中間方向に対して前記第１方向と前記行方向とのなす角度だけずれた透過軸を有しており、前記第１偏光板および前記第２偏光板のうちの他方の偏光板は、前記中間方向と直交する方向に対して前記第１方向と前記行方向とのなす角度だけずれた透過軸を有している。
【００１９】
ある実施形態において、前記第１部分電極の前記第１エッジは前記第２部分電極の前記第３エッジと連続しており、前記第１部分電極の前記第２エッジは前記第２部分電極の前記第４エッジと連続している。
【００２０】
ある実施形態において、前記第１対向配向規制構造体および前記第２対向配向規制構造体の少なくとも一方の対向配向規制構造体は互いに平行に配置された複数のリブまたはスリットを含んでおり、前記第１画素配向規制構造体および前記第２画素配向規制構造体のうち、前記少なくとも一方の対向配向規制構造体に対応する画素配向規制構造体は、前記複数のリブまたはスリットの間の対向する位置に設けられたスリットまたはリブを含む。
【００２１】
ある実施形態において、前記第１液晶ドメイン領域および前記第２液晶ドメイン領域のそれぞれの数は、前記第３液晶ドメイン領域および前記第４液晶ドメイン領域のそれぞれの数とは異なる。
【発明の効果】
【００２２】
本発明によれば、さまざまなピッチの画素に対して表示品位の低下を抑制した液晶表示装置を提供することができる。
【発明を実施するための最良の形態】
【００２３】
以下、図面を参照して、本発明による液晶表示装置の実施形態を説明する。ただし、本発明は、以下の実施形態に限定されるものではない。
【００２４】
まず、図１〜図４を参照して、本実施形態の液晶表示装置１００を説明する。本実施形態の液晶表示装置１００は、絶縁基板１２２上に設けられた画素電極１２４および配向膜１２６を有するアクティブマトリクス基板１２０と、絶縁基板１４２上に設けられた対向電極１４４および配向膜１４６を有する対向基板１４０と、アクティブマトリクス基板１２０と対向基板１４０との間に設けられた液晶層１６０とを備えている。アクティブマトリクス基板１２０および対向基板１４０には図示しない偏光板が設けられており、偏光板の透過軸はクロスニコルの関係を有している。また、アクティブマトリクス基板１２０には図示しない配線および絶縁層等が設けられており、対向基板１４０には図示しないカラーフィルタ層等が設けられている。液晶層１６０の厚さはほぼ一定である。
【００２５】
液晶表示装置１００では、複数の画素は複数の行および複数の列のマトリクス状に配列されている。例えば、Ｒ（赤）、Ｇ（緑）、Ｂ（青）を原色としてカラー表示を行う液晶表示装置では、Ｒ、Ｇ、Ｂの３つの画素によって１つの色が表現される。画素は画素電極１２４によって規定される。
【００２６】
液晶表示装置１００はＶＡモードで動作する。配向膜１２６、１４６は垂直配向膜である。液晶層１６０は垂直配向型の液晶層である。ここで、「垂直配向型液晶層」とは、垂直配向膜１２６、１４６の表面に対して、液晶分子軸（「軸方位」ともいう。）が約８５°以上の角度で配向した液晶層をいう。液晶層１６０は負の誘電異方性を有するネマチック液晶材料を含んでおり、クロスニコル配置された偏光板と組み合わせて、ノーマリーブラックモードで表示が行われる。液晶層１６０に電圧が印加されない場合、液晶層１６０の液晶分子１６２は配向膜１２６、１４６の主面の法線方向とほぼ平行に配向する。液晶層１６０に所定の電圧よりも高い電圧が印加される場合、液晶層１６０の液晶分子１６２は配向膜１２６、１４６の主面とほぼ平行に配向する。なお、ここでは、アクティブマトリクス基板１２０および対向基板１４０は配向膜１２６、１４６をそれぞれ有していたが、アクティブマトリクス基板１２０および対向基板１４０の少なくとも一方が対応する配向膜１２６、１４６を有していてもよい。ただし、配向の安定性の観点から、アクティブマトリクス基板１２０および対向基板１４０の両方が配向膜１２６、１４６をそれぞれ有していることが好ましい。
【００２７】
以下、図２〜図４を参照して、液晶表示装置１００の画素構造を説明する。液晶表示装置１００では、複数の行および複数の列のマトリクス状に画素電極１２４が配列されており、行方向（ｘ方向）は画素電極１２４の配列されている複数の行の方向で規定され、列方向（ｙ方向）は画素電極１２４の配列されている複数の列の方向で規定される。図２には、行方向（ｘ方向）に並んで配列された３つの画素電極１２４のみを図示している。また、図３および図４には、１つの画素電極１２４を拡大して示している。
【００２８】
液晶表示装置１００において、画素電極１２４は、第１部分電極１２４ａと、第２部分電極１２４ｂとを有している。ここでは、第１部分電極１２４ａはｘ方向に対して斜めの方向Ｆ１に延びており、第２部分電極１２４ｂは方向Ｆ１に対して直交する方向Ｆ２に延びている。なお、本明細書の以下の説明において、方向Ｆ１を第１方向Ｆ１とも呼び、方向Ｆ２を第２方向Ｆ２とも呼ぶ。
【００２９】
第１部分電極１２４ａと第２部分電極１２４ｂとの境界線はｘ方向と平行であり、第１方向Ｆ１とｘ方向とのなす角度をθと示すと、第２方向Ｆ２とｘ方向とのなす角度は９０°−θとなる。方向Ｆ１とｘ方向とのなす角度は方向Ｆ２とｘ方向とのなす角度とは異なり、角度θは４５°以外の角度である。このように、画素電極１２４はｘ方向に対して非対称な形状を有している。例えば、第１方向Ｆ１とｘ方向とのなす角度は３０°であり、第２方向Ｆ２とｘ方向とのなす角度は６０°である。
【００３０】
第１部分電極１２４ａは第２部分電極１２４ｂと電気的に接続されており、ここでは、第１部分電極１２４ａは第２部分電極１２４ｂと連続している。本明細書の以下の説明において、画素電極１２４によって規定される画素のうち、第１部分電極１２４ａによって規定される領域を第１画素領域Ｐ１とも呼び、第２部分電極１２４ｂによって規定される領域を第２画素領域Ｐ２とも呼ぶ。
【００３１】
ここで、行方向に配列された画素電極１２４に着目すると、各画素電極１２４の第１部分電極１２４ａは互いに平行に配列されており、各画素電極１２４の第２部分電極１２４ｂは互いに平行に配列されている。また、第１部分電極１２４ａをｙ軸に投影した長さｈaは第２部分電極１２４ｂをｙ軸に投影した長さｈbと等しく、第１部分電極１２４ａの面積は第２部分電極１２４ｂの面積と等しい。
【００３２】
画素電極１２４はエッジ１２４ｓ１〜１２４ｓ６を有している。画素電極１２４においてエッジ１２４ｓ１はエッジ１２４ｓ３と連続しており、エッジ１２４ｓ１とエッジ１２４ｓ３とのなす角度は９０°である。また、エッジ１２４ｓ２はエッジ１２４ｓ４と連続しており、エッジ１２４ｓ２とエッジ１２４ｓ４とのなす角度は９０°である。エッジ１２４ｓ１およびエッジ１２４ｓ２は方向Ｆ１と平行に延びており、エッジ１２４ｓ３およびエッジ１２４ｓ４は方向Ｆ２と平行に延びている。ｘ方向に平行なエッジ１２４ｓ５はエッジ１２４ｓ１とエッジ１２４ｓ２とを連結しており、ｘ方向に平行なエッジ１２４ｓ６はエッジ１２４ｓ３とエッジ１２４ｓ４とを連結している。エッジ１２４ｓ５および１２４ｓ６の長さはエッジ１２４ｓ１〜１２４ｓ４よりも短い。
【００３３】
対向基板１４０の液晶層１６０側には、液晶分子１６２の配向方向を規定する線状の対向配向規制構造体１４０Ｄが設けられている。対向配向規制構造体１４０Ｄは、第１部分電極１２４ａに対応する第１配向規制構造体１４０Ｄ１と、第２部分電極１２４ｂに対応する第２配向規制構造体１４０Ｄ２とを含む。ここで、第１配向規制構造体１４０Ｄ１はリブ１４０ａであり、第２配向規制構造体１４０Ｄ２はリブ１４０ｂ１、１４０ｂ２である。リブ１４０ａ、１４０ｂ１、１４０ｂ２は、対向電極１４４よりも液晶層１６０側に設けられている。リブ１４０ａは、画素電極１２４のエッジ１２４ｓ１、１２４ｓ２と平行に延びており、リブ１４０ｂ１、１４０ｂ２は、画素電極１２４のエッジ１２４ｓ３、１２４ｓ４と平行に延びている。
【００３４】
また、アクティブマトリクス基板１２０の液晶層１６０側にはスリット１２０ｂが設けられている。例えば、スリット１２０ｂは画素電極１２４に設けられている。表示画面の法線方向から見ると、スリット１２０ｂはリブ１４０ｂ１とリブ１４０ｂ２との間の対応する位置に設けられている。
【００３５】
リブ１４０ａ、１４０ｂ１、１４０ｂ２およびスリット１２０ｂはそれぞれ帯状（短冊状）に設けられている。リブ１４０ａはその側面に略垂直に液晶分子１６２を配向させることにより、液晶分子１６２をリブ１４０ａの延びている第１方向Ｆ１と直交する方向に配向させるように作用する。また、リブ１４０ｂ１、１４０ｂ２はその側面に略垂直に液晶分子１６２を配向させることにより、液晶分子１６２をリブ１４０ｂ１、１４０ｂ２の延びている第２方向Ｆ２と直交する方向に配向させるように作用する。
【００３６】
スリット１２０ｂは、画素電極１２４と対向電極１４４との間に電位差が形成されて液晶層１６０に電圧が印加されたときに、スリット１２０ｂの端辺近傍の液晶層１６０に斜め電界を生成し、スリット１２０ｂの延びている方向Ｆ２と直交する方向に液晶分子１６２を配向させるように作用する。また、画素電極１２４のエッジ１２４ｓ１〜１２４ｓ４もスリット１２０ｂと同様に作用する。具体的には、画素電極１２４と対向電極１４４との間に電位差が形成されたときに、画素電極１２４のエッジ１２４ｓ１〜１２４ｓ４の端辺近傍の液晶層１６０に斜め電界が生成され、エッジ１２４ｓ１〜１２４ｓ４と平行に延びている方向Ｆ１、Ｆ２と直交する方向に液晶分子１６２を配向させるように作用する。
【００３７】
第１画素領域Ｐ１において画素電極１２４のエッジ１２４ｓ１、リブ１４０ａ、エッジ１２４ｓ２は互いにほぼ平行に配置されており、それぞれの間に液晶ドメイン領域が形成される。液晶層１６０に電圧が印加されると、画素電極１２４のエッジ１２４ｓ１とリブ１４０ａとの間において、液晶分子１６２は、その長軸に沿って背面から前面に向かう方向の方位角成分がリブ１４０ａに向かい、かつ、リブ１４０ａと直交するように配向する。また、液晶層１６０に電圧が印加されると、リブ１４０ａと画素電極１２４のエッジ１２４ｓ２との間において、液晶分子１６２は、その長軸に沿って背面から前面に向かう方向の方位角成分がリブ１４０ａに向かい、かつ、リブ１４０ａと直交するように配向する。このように、第１画素領域Ｐ１の液晶分子１６２の配向方位はリブ１４０ａに対して直交する。本明細書の以下の説明において、液晶層１６０のうち、液晶分子１６２が第１方向Ｆ１に延びるリブ１４０ａに対して一方の側から向かう方位角成分を有する液晶ドメインを液晶ドメインＤ１と呼び、液晶分子１６２がリブ１４０ａに対して他方の側から向かう方位角成分を有する液晶ドメインを液晶ドメインＤ２と呼ぶ。また、液晶層１６０のうち、画素電極１２４のエッジ１２４ｓ１とリブ１４０ａとの間の領域を第１液晶ドメイン領域Ｒ１とも呼び、リブ１４０ａと画素電極１２４のエッジ１２４ｓ２との間の領域を第２液晶ドメイン領域Ｒ２とも呼ぶ。
【００３８】
第２画素領域Ｐ２において画素電極１２４のエッジ１２４ｓ３、リブ１４０ｂ１、スリット１２０ｂ、リブ１４０ｂ２、エッジ１２４ｓ４は互いにほぼ平行に配置されており、それぞれの間に液晶ドメイン領域が形成される。液晶層１６０に電圧が印加されると、画素電極１２４のエッジ１２４ｓ３とリブ１４０ｂ１との間において、液晶分子１６２は、その長軸に沿って背面から前面に向かう方向の方位角成分がリブ１４０ｂ１に向かい、かつ、リブ１４０ｂ１と直交するように配向し、リブ１４０ｂ１とスリット１２０ｂとの間において、液晶分子１６２は、その長軸に沿って背面から前面に向かう方向の方位角成分がリブ１４０ｂ１に向かい、かつ、リブ１４０ｂ１と直交するように配向する。また、液晶層１６０に電圧が印加されると、スリット１２０ｂとリブ１４０ｂ２との間において、液晶分子１６２は、その長軸に沿って背面から前面に向かう方向の方位角成分がリブ１４０ｂ２に向かい、かつ、リブ１４０ｂ２と直交するように配向し、リブ１４０ｂ２と画素電極１２４のエッジ１２４ｓ４との間において、液晶分子１６２は、その長軸に沿って背面から前面に向かう方向の方位角成分がリブ１４０ｂ２に向かい、かつ、リブ１４０ｂ２と直交するように配向する。
【００３９】
このように、第２画素領域Ｐ２の液晶分子１６２の配向方位はリブ１４０ｂ１、１４０ｂ２に対して直交する。本明細書の以下の説明において、液晶層１６０のうち、液晶分子１６２が第２方向Ｆ２に延びるリブ１４０ｂ１、１４０ｂ２に対して一方の側から向かう方位角成分を有する液晶ドメインを液晶ドメインＤ３と呼び、液晶分子１６２がリブ１４０ｂ１、１４０ｂ２に対して他方の側から向かう方位角成分を有する液晶ドメインを液晶ドメインＤ４と呼ぶ。また、液晶ドメインＤ３を形成する領域を第３液晶ドメイン領域Ｒ３とも呼び、このうち、画素電極１２４のエッジ１２４ｓ３とリブ１４０ｂ１との間の領域を液晶ドメイン領域Ｒ３αとも示し、スリット１２０ｂとリブ１４０ｂ２との間の領域を液晶ドメイン領域Ｒ３βとも示す。また、液晶ドメインＤ４を形成する領域を第４液晶ドメイン領域Ｒ４とも呼び、このうち、液晶層１６０のうち、リブ１４０ｂ１とスリット１２０ｂとの間の領域を液晶ドメイン領域Ｒ４αとも示し、リブ１４０ｂ２と画素電極１２４のエッジ１２４ｓ４との間の領域を液晶ドメイン領域Ｒ４βとも示す。このように、第２画素領域Ｐ２には、液晶ドメインＤ３を形成する２つの液晶ドメイン領域Ｒ３α、Ｒ３βおよび液晶ドメインＤ４を形成する２つの液晶ドメイン領域Ｒ４α、Ｒ４βが形成される。
【００４０】
なお、上述したように、第１、第２液晶ドメインＤ１、Ｄ２において液晶分子１６２はリブ１４０ａと直交するように配向し、第１液晶ドメインＤ１を形成する液晶ドメイン領域Ｒ１の数は第２液晶ドメインＤ２を形成する液晶ドメイン領域Ｒ２の数と等しい。また、第３、第４液晶ドメインＤ３、Ｄ４において液晶分子１６２はリブ１４０ｂ１、１４０ｂ２と直交するように配向し、第３液晶ドメインＤ３を形成する液晶ドメイン領域Ｒ３α、Ｒ３βの数は第４液晶ドメインＤ４を形成する液晶ドメイン領域Ｒ４α、Ｒ４βの数と等しい。液晶ドメイン領域Ｒ１、Ｒ２、Ｒ３α、Ｒ３β、Ｒ４αおよびＲ４βのそれぞれの形状は平行四辺形であり、その長辺は、第１方向Ｆ１または第２方向Ｆ２に延びており、その短辺はｘ方向と平行に延びている。
【００４１】
なお、本明細書において、電圧が印加された際の液晶ドメインの中央における液晶分子の配向方向を基準配向方向と呼び、基準配向方向のうち液晶分子の長軸に沿って背面から前面に向かう方向の方位角成分（すなわち、基準配向方向を配向膜１２６または配向膜１４６の主面に投影した方位角成分）を基準配向方位と呼ぶ。基準配向方位は、対応する液晶ドメインを特徴付けており、各液晶ドメインの視野角特性に支配的な影響を与える。具体的には、液晶ドメインの基準配向方向は任意の２つの方向の差が９０°の整数倍に略等しい４つの方向となるように設定されている。液晶ドメインＤ１の基準配向方位は液晶ドメインＤ２の基準配向方位と１８０°異なり、液晶ドメインＤ３の基準配向方位は液晶ドメインＤ４の基準配向方位と１８０°異なる。
【００４２】
ここで、表示画面（紙面）の水平方向（左右方向）を方位角方向の基準とし、左回りに正をとる（表示面を時計の文字盤に例えると３時方向を方位角０°として、反時計回りを正とする）と、液晶ドメインＤ１〜Ｄ４の基準配向方位は、それぞれ、θ＋９０°、θ＋２７０°、θ°およびθ＋１８０°である。なお、２つの偏光板（図示せず）のうち一方の偏光板はｘ方向とｙ方向との中間方向に対して角度θだけ回転したθ＋４５°−θ＋２２５°方向の透過軸を有しており、他方の偏光板は中間方向と直交する方向に対して角度θだけ回転したθ＋１３５°−θ＋３１５°方向の透過軸を有している。
【００４３】
例えば、第１方向Ｆ１とｘ方向とのなす角度θが３０°である場合、液晶ドメインＤ１〜Ｄ４の基準配向方位の方位角は、それぞれ、１２０°、３００°、３０°、２１０°である。また、一方の偏光板の透過軸は７５°−２５５°方向であり、他方の偏光板の透過軸は１６５°−３４５°方向である。このように、４つの液晶ドメインＤ１〜Ｄ４の基準配向方位は２つの偏光板のうちの隣接する透過軸方向の中間の方向を示しており、光の効率的な利用が行われている。
【００４４】
なお、図２に示した液晶表示装置１００では、対向基板１４０の液晶層１６０側には対向配向規制構造体１４０Ｄとしてリブ１４０ａ、１４０ｂ１、１４０ｂ２が設けられていたが、本発明はこれに限定されない。対向基板１４０の液晶層１６０側にリブ１４０ａ、１４０ｂ１、１４０ｂ２に代えて対向配向規制構造体１４０Ｄとしてスリットが設けられていてもよい。このように、液晶ドメインＤ１〜Ｄ４のそれぞれは、少なくとも電圧印加時に第１、第２対向配向規制構造体１４０Ｄ１、１４０Ｄ２に対して互いに直交して向かい合う配向方位成分を有する液晶分子１６２を含んでいる。
【００４５】
また、図２に示した液晶表示装置１００では、アクティブマトリクス基板１２０の液晶層１６０側にスリット１２０ｂが設けられていたが、本発明はこれに限定されない。アクティブマトリクス基板１２０の液晶層１６０側に、スリット１２０ｂに代えてリブが設けられていてもよい。
【００４６】
アクティブマトリクス基板１２０の液晶層１６０側には、液晶分子１６２の配向方向を規定する線状の画素配向規制構造体１２０Ｄが設けられている。画素配向規制構造体１２０Ｄは、第１部分電極１２４ａに対応する第１画素配向規制構造体１２０Ｄ１と、第２部分電極１２４ｂに対応する第２画素配向規制構造体１２０Ｄ２とを含む。第１画素配向規制構造体１２０Ｄ１は画素電極１２４のエッジ１２４ｓ１、１２４ｓ２を含んでおり、第２画素配向規制構造体１２０Ｄ２は画素電極１２４のエッジ１２４ｓ３、１２４ｓ４を含んでいる。また、第２画素配向規制構造体１２０Ｄ２はスリット１２０ｂをさらに含んでいる。
【００４７】
液晶表示装置１００では、画素はｘ方向に対して非対称な構造を有しているとともに、第１部分電極１２４ａに対応するリブ１４０ａの数が第２部分電極１２４ｂに対応するリブ１４０ｂ１、１４０ｂ２の数とは異なっており、液晶ドメインＤ３およびＤ４は液晶ドメインＤ１およびＤ２よりも多くの液晶ドメイン領域に分割されて形成されている。第１画素領域Ｐ１において、基準配向方向が互いに１８０°異なる液晶ドメインＤ１および液晶ドメインＤ２を形成する液晶ドメイン領域のそれぞれの数をＮａとし、第２画素領域Ｐ２において、基準配向方位が互いに１８０°異なる液晶ドメインＤ３および液晶ドメインＤ４を形成する液晶ドメイン領域のそれぞれの数をＮｂとすると、Ｎａは１であり、Ｎｂは２である。
【００４８】
画素電極１２４によって規定される画素は、行方向および列方向に所定のピッチで配列されている。なお、以下の説明において、画素の行方向のピッチをピッチＰとも示す。１つの画素の行方向の長さは、対象画素の画素電極と行方向に沿って左側に隣接する画素電極との中間線から、対象画素の画素電極と行方向に沿って右側に隣接する画素電極との中間線までの長さであり、ピッチＰは、例えば、ある画素の画素電極１２４のエッジ１２４ｓ１とエッジ１２４ｓ３との交点から行方向に隣接する画素の画素電極１２４のエッジ１２４ｓ１とエッジ１２４ｓ３との交点までの距離に相当する。なお、赤、緑および青を表示する３つの画素によって１つの色が表現される場合、３つの画素の縦横比がほぼ１：１となることが好ましい。この場合、１つの画素のピッチＰと長さｈa、ｈbとは、３×Ｐ＝ｈa＋ｈbの関係を満たす。
【００４９】
ここで、画素のピッチＰを方向Ｆ２に投影した成分の長さをｐａとし、画素のピッチＰを方向Ｆ１に投影した成分の長さをｐｂとする。また、以下の説明において、画素電極１２４において方向Ｆ１と直交する方向Ｆ２に沿った第１部分電極１２４ａの幅をＷａとし、画素電極１２４において方向Ｆ２と直交する方向Ｆ１に沿った第２部分電極１２４ｂの幅をＷｂとする。また、隣接する第１部分電極１２４ａの間隔をＥ１とし、隣接する第２部分電極１２４ｂの間隔をＥ２とする。なお、図２〜図４に示したように、エッジ１２４ｓ１がエッジ１２４ｓ３と連続し、エッジ１２４ｓ２がエッジ１２４ｓ４と連続する場合、間隔Ｅ１、Ｅ２はθ＝ｔａｎ-1（Ｅ１／Ｅ２）の関係を満たしている。
【００５０】
なお、長さｐａは、配列された第１画素領域Ｐ１の第２方向Ｆ２に沿った単位長さに相当するものであり、長さｐｂは、配列された第２画素領域Ｐ２の第１方向Ｆ１に沿った単位長さに相当するものである。長さｐａは、第１部分電極１２４ａの幅Ｗａと間隔Ｅ１との和と等しく、同様に、長さｐｂは、第２部分電極１２４ｂの幅Ｗｂと間隔Ｅ２との和と等しい。
【００５１】
本願発明者は、第１、第２部分電極１２４ａ、１２４ｂの延びている方向Ｆ１、Ｆ２のそれぞれとｘ方向とのなす角度を４５°からずらすとともに画素のピッチＰを投影した長さｐａ、ｐｂを異ならせることにより、応答速度および開口率の低下を抑制する液晶ドメインＤ１〜Ｄ４をさまざまな画素のピッチＰにおいて形成可能であることを見出した。
【００５２】
ここで、長さｐａ、ｐｂと画素のピッチＰとの関係は以下のように表される。
【００５３】
ｐａ  ＝  Ｐ  ×  ｓｉｎθ
ｐｂ  ＝  Ｐ  ×  ｃｏｓθ
画素のピッチＰは、Ｐ＝√（ｐａ2＋ｐｂ2）の関係を満たしている。
【００５４】
また、第１、第２部分電極１２４ａの幅Ｗａ、Ｗｂと画素のピッチＰとの関係は以下のように表される。
【００５５】
Ｗａ＋Ｅ１＝Ｐ×ｓｉｎθ
Ｗｂ＋Ｅ２＝Ｐ×ｃｏｓθ
【００５６】
以下に、長さｐａ、ｐｂと表示特性との関係を説明する。長さｐａは
ｐａ＝Ｗ１＋Ｌａ＋Ｗ２＋Ｅ１
と表される。ここで、Ｗ１、Ｗ２は液晶ドメイン領域Ｒ１、Ｒ２の幅をそれぞれ示しており、Ｌａはリブ１４０ａの幅を示している。
【００５７】
また、長さｐｂは
ｐｂ＝Ｗ３α＋Ｌｂ１＋Ｗ３β＋Ｓｂ＋Ｗ４α＋Ｌｂ２＋Ｗ４β＋Ｅ２
と表される。ここで、Ｌｂ１、Ｌｂ２はリブ１４０ｂ１、１４０ｂ２の幅をそれぞれ示しており、Ｓｂはスリット１２０ｂの幅をしている。また、Ｗ３α、Ｗ３β、Ｗ４αおよびＷ４βは、液晶ドメイン領域Ｒ３α、Ｒ３β、Ｒ４αおよびＲ４βの幅をそれぞれ示している。なお、長さｐｂは長さｐａよりも大きく、間隔Ｅ２は間隔Ｅ１よりも大きく、幅Ｗｂは幅Ｗａよりも大きい。
【００５８】
リブ１４０ａの形状は帯状であり、その長辺は方向Ｆ１に延びている。リブ１４０ａの幅Ｌａはリブ１４０ａの２つの長辺の間の距離に相当する。また、リブ１４０ｂ１、１４０ｂ２の形状は帯状であり、その長辺は方向Ｆ２に延びている。リブ１４０ｂ１、１４０ｂ２の幅Ｌｂ１、Ｌｂ２はリブ１４０ｂ１、１４０ｂ２の長辺間の距離に相当する。ここでは、リブ１４０ａ、１４０ｂ１、１４０ｂ２の幅Ｌａ、Ｌｂ１、Ｌｂ２をそれぞれ１１μｍとしている。リブ１４０ａ、１４０ｂ１、１４０ｂ２の幅Ｌａ、Ｌｂ１、Ｌｂ２が大きすぎると、開口率が低下する。また、製造上これ以上小さくすることが困難である。
【００５９】
また、スリット１２０ｂの形状も帯状であり、スリット１２０ｂの幅Ｓｂが大きすぎると、開口率が低下する。また、スリット１２０ｂの幅Ｓｂが小さすぎると、配向規制が十分に行われないため結果的に透過率が低下してしまう。このように、スリット１２０ｂの幅Ｓｂは大きすぎても小さすぎても表示品位を低下させることになる。ここでは、スリット１２０ｂの幅Ｓｂを９μｍとしている。
【００６０】
また、上述したように、画素電極１２４のエッジ１２４ｓ１〜１２４ｓ４による斜め電界も液晶分子１６２の配向に寄与している。隣接する第１部分電極１２４ａの間隔Ｅ１および隣接する第２部分電極１２４ｂの間隔Ｅ２が大きすぎると、開口率が低下する。また、間隔Ｅ１、Ｅ２が小さすぎると、配向規制が十分に行われないため結果的に透過率が低下してしまう。このように、間隔Ｅ１、Ｅ２は大きすぎても小さすぎても表示品位を低下させることになる。ここでは、隣接する第１、第２部分電極１２４ａの間隔Ｅ１、Ｅ２をそれぞれ６μｍとしている。第１、第２部分電極１２４ａの間隔の製造ばらつきは±０．７５μｍである。なお、一般に、隣接する画素電極には極性の異なる電圧が印加され、スリット近傍と比べて強い配向規制力が働くので、画素電極の間隔はスリットの幅よりも小さくすることができる。
【００６１】
なお、図２〜図４に示した構成では、エッジ１２４ｓ１はエッジ１２４ｓ３と連続し、エッジ１２４ｓ２はエッジ１２４ｓ４と連続していたが、この場合、エッジ１２４ｓ１とエッジ１２４ｓ３との連結およびエッジ１２４ｓ２とエッジ１２４ｓ４との連結の少なくとも一方はｘ方向に平行な別のエッジを介して行われる。
【００６２】
次に、液晶ドメイン領域Ｒ１、Ｒ２、Ｒ３α、Ｒ３β、Ｒ４αおよびＲ４βの幅Ｗ１、Ｗ２、Ｗ３α、Ｗ３β、Ｗ４αおよびＷ４βを検討する。液晶ドメイン領域の幅とは、平行四辺形形状の液晶ドメイン領域の長辺間の距離に相当し、また、表示画面の法線方向から見た場合の画素配向規制構造体１２０Ｄと対向配向規制構造体１４０Ｄとの間の長さに相当する。
【００６３】
図５に、液晶ドメイン領域の幅Ｗと透過率との関係を示す。ここでは、透過率は、幅Ｗが１３．５μｍのときの透過率を１．０として規格化している。図５に示すように、液晶ドメイン領域の幅が大きくなるほど、透過率が増加する。なお、幅Ｗが１８μｍ付近を越えるとその傾きは小さくなり、透過率比１．１２程度で飽和する。
【００６４】
また、図６に、液晶ドメイン領域の幅Ｗと応答時間との関係を示す。ここでは、第１０階調レベルから第２５５階調レベル（最大階調レベル）までの応答時間を示しており、応答時間が短いほど応答速度が大きい。
【００６５】
図６から理解されるように、液晶ドメイン領域の幅が大きいほど、応答時間が長く、応答速度が低下してしまう。ここで、応答時間の限界を２フレーム（３３．４ｍｓｅｃ）とすると、液晶ドメイン領域の幅Ｗの最大値は２３．５μｍとなる。なお、多少のずれを考慮すると、液晶ドメイン領域の幅は２３．０μｍ以下であることが好ましい。
【００６６】
なお、透過率および応答速度は、厳密には、液晶ドメイン領域の幅Ｗだけでなく、液晶材料や液晶層の厚さ等他のパラメータの影響もあるが、液晶ドメイン領域の幅Ｗが最も支配的なパラメータである。
【００６７】
以上のように、透過率および応答速度（応答時間）の観点から、液晶ドメイン領域の幅は所定の範囲内にあることが好ましい。例えば、液晶ドメイン領域の幅は１８．０μｍ以上２３．５μｍ未満の範囲内にあることが好ましい。また、液晶ドメイン領域の幅は２３．０μｍ以下であることがさらに好ましい。
【００６８】
なお、理想的には、各液晶ドメイン領域の応答速度の均一化の観点から、液晶ドメイン領域Ｒ１、Ｒ２、Ｒ３α、Ｒ３β、Ｒ４αおよびＲ４βの幅Ｗ１、Ｗ２、Ｗ３α、Ｗ３β、Ｗ４αおよびＷ４βの幅は互いに等しいことが好ましい。ここで、液晶ドメイン領域Ｒ１の幅Ｗ１が液晶ドメイン領域Ｒ２の幅Ｗ２と等しいとし、Ｗ１＝Ｗ２＝Ｗｘとする。また、液晶ドメイン領域Ｒ３α、Ｒ３β、Ｒ４αおよびＲ４βの幅Ｗ３α、Ｗ３β、Ｗ４αおよびＷ４βが互いに等しいとし、Ｗ３α＝Ｗ３β＝Ｗ４α＝Ｗ４β＝Ｗｙとする。
【００６９】
上述したように、ｐａ＝Ｗａ＋Ｅ１であり、ｐｂ＝Ｗｂ＋Ｅ２である。長さｐａ、ｐｂは、Ｐ＝√（ｐａ2＋ｐｂ2）を満たすとともに、応答速度および開口率の低下を抑制した液晶ドメインＤ１〜Ｄ４を形成するように設定される。このため、画素のピッチＰに対して適切な長さｐａ、ｐｂを設定することにより、応答速度および開口率の低下を抑制することができる。なお、この場合、第１方向Ｆ１とｘ方向とのなす角度θはθ＝ｔａｎ-1（ｐｂ／ｐａ）（θ＝４５°を除く）を満たすように設定される。このようにして、液晶表示装置１００はさまざまなサイズにおいて応答速度および開口率の低下を抑制することができる。
【００７０】
以下、比較例１の液晶表示装置および比較例２の液晶表示装置と比較して本実施形態の液晶表示装置１００の利点を説明する。まず、図７を参照して比較例１の液晶表示装置５００を説明する。図７（ａ）に、液晶表示装置５００の模式図を示し、図７（ｂ）に、液晶表示装置５００の画素構造を示す。
【００７１】
比較例１の液晶表示装置５００では画素電極５２４の第１部分電極５２４ａはｘ方向に対して４５°方向に延びており、第２部分電極５２４ｂはｘ方向に対して４５°方向に延びている。画素電極５２４はｘ方向に対称な形状を有している。対向基板５４０の液晶層５６０側には第１部分電極５２４ａに対応してリブ５４０ａが設けられており、対向基板５４０の液晶層５６０側には第２部分電極５２４ｂに対応してリブ５４０ｂが設けられている。
【００７２】
次に、図８を参照して、比較例２の液晶表示装置６００を説明する。図８（ａ）に、液晶表示装置６００の模式図を示し、図８（ｂ）に、液晶表示装置６００の画素構造を示す。
【００７３】
比較例２の液晶表示装置６００では画素電極６２４の第１部分電極６２４ａはｘ方向に対して４５°方向に延びており、第２部分電極６２４ｂはｘ方向に対して４５°方向に延びている。画素電極６２４はｘ方向に対称な形状を有している。対向基板６４０の液晶層６６０側には第１部分電極６２４ａに対応して２つのリブ６４０ａ１、６４０ａ２が設けられており、第２部分電極６２４ｂに対応して２つのリブ６４０ｂ１、６４０ｂ２が設けられている。また、アクティブマトリクス基板６２０の液晶層６６０側には、２つのリブ６４０ａ１、６４０ａ２の間の対応する位置にスリット６２０ａが設けられており、２つのリブ６４０ｂ１、６４０ｂ２の間の対応する位置にスリット６２０ｂが設けられている。
【００７４】
ここで、比較例１の液晶表示装置５００および比較例２の液晶表示装置６００において応答速度および開口率の低下を抑制する画素のピッチおよび液晶表示装置のサイズを説明する。なお、比較例１、２の液晶表示装置５００、６００のいずれも画素はｘ方向に対して対称構造を有しているため、第１画素領域Ｐ１の構成のみを検討する。
【００７５】
液晶表示装置５００において、液晶ドメイン領域の幅Ｗは２３μｍであり、また、リブ５４０ａの幅Ｌは１１μｍであり、第１部分電極５２４ａの幅Ｗは５７μｍであり、隣接する第１部分電極５２４ａの間隔Ｅは６μｍである。この場合、長さｐａは６３μｍであり、画素のピッチＰは６９μｍである。以上のように、２３μｍの幅Ｗは６９μｍのピッチＰに対応する。
【００７６】
なお、６９μｍのピッチＰは、解像度１９２０×１０８０のフルハイビジョン規格（ＦＨＤ）において約２３インチに相当し、また解像度１３６６×７６８のハイビジョン規格（ＷＸＧＡ）において約１７インチに相当する。本明細書の以下の説明においてＷＸＧＡを「ＷＸ」と表記することがある。
【００７７】
また、液晶表示装置６００において液晶ドメイン領域の幅Ｗは２３μｍであり、また、リブ６４０ａ１、６４０ａ２の幅Ｌはそれぞれ１１μｍであり、スリット６２０ａの幅Ｓは９μｍである。また、第１部分電極６２４ａの幅Ｗは１２３μｍであり、隣接する第１部分電極６２４ａの間隔Ｅは６μｍである。この場合、長さｐａは１２９μｍであり、画素のピッチＰは１８２μｍである。これは、ＦＨＤにおいて約４８インチまたはＷＸにおいて約３４インチに相当する。
【００７８】
このように、比較例１の液晶表示装置５００および比較例２の液晶表示装置６００の構成でも特定のサイズであれば、応答速度および開口率の低下を抑制することができる。しかしながら、別のサイズの比較例１の液晶表示装置５００および比較例２の液晶表示装置６００は、応答速度および開口率の低下を抑制できない。
【００７９】
ここで、例示として、ＦＨＤでサイズ約３３インチの比較例１の液晶表示装置５００および比較例２の液晶表示装置６００の構成を検討する。この場合、画素Ｐのピッチは約１２６μｍであり、長さｐａは８９μｍである。なお、１２６μｍのピッチＰは、ＷＸにおいて約２３インチに相当する。
【００８０】
ここでは、液晶ドメイン領域の幅Ｗ以外の値（すなわち、リブの幅、スリットの幅、部分電極の間隔）は上述した値と同様にし、液晶ドメイン領域の幅Ｗを調整する。このように、リブの幅、スリットの幅、部分電極の間隔の値を変化させないことにより、透過率の低下を抑制することができる。比較例１の液晶表示装置５００において、隣接する第１部分電極５２４ａの間隔Ｅを６μｍとし、また、リブ５４０ａの幅Ｌを１１μｍとすると、液晶ドメイン領域の幅Ｗは３６μｍとなる。このように幅Ｗが長いと、応答速度が低下してしまう。
【００８１】
比較例２の液晶表示装置６００においても、隣接する第１部分電極６２４ａの間隔Ｅを６μｍとし、リブ６４０ａ１、６４０ａ２の幅Ｌを１１μｍとし、スリット６２０ａの幅Ｓを９μｍとすると、液晶ドメイン領域の幅Ｗは１３μｍとなる。このように幅Ｗが短いと、開口率（透過率）が低下してしまう。
【００８２】
これに対して、本実施形態の液晶表示装置１００では、比較例１、２の液晶表示装置５００、６００において応答速度および開口率の少なくとも一方が低下してしまうサイズでも、応答速度および開口率の低下を抑制することができる。例えば、ＦＨＤでサイズ約３３インチの本実施形形態の液晶表示装置１００の構成を検討する。この場合、表示領域のサイズは約７３ｃｍ×４１ｃｍである。液晶表示装置は一般に、行方向に配列された赤、青および緑の３つの画素によって表示を行う。この場合、１つの画素のピッチは約１２６μｍ×３８０μｍとなる。このように１つの画素のピッチは画素数および液晶表示装置のサイズに応じて決定される。なお、１つの画素のピッチの縦横比はほぼ３：１であり、赤、青および緑を表示する３つの画素を含む１つの表示単位の縦横比はほぼ１：１となっている。
【００８３】
再び、図２〜図４を参照する。ここで、ピッチＰが約１２６μｍである画素において角度θを３０°とする。この場合、上述したように、長さｐａは６３μｍ（＝１２６×ｓｉｎ３０°）であり、長さｐｂは１０９μｍ（＝１２６×ｃｏｓ３０°）である。
【００８４】
ここで、第１画素領域Ｐ１の構成を検討する。上述したように、長さｐａは６３μｍである。また、リブ１４０ａの幅Ｌａは１１μｍであり、隣接する第１部分電極１２４ａの間隔Ｅ１は６μｍである。また、第１液晶ドメイン領域Ｒ１の幅Ｗ１が第２液晶ドメイン領域Ｒ２の幅Ｗ２と等しいとし、これらの幅Ｗ１、Ｗ２をＷｘと示すと、Ｗｘは２３μｍである。このように、第１、第２液晶ドメイン領域Ｒ１、Ｒ２の幅Ｗｘを所定の範囲内とすることができる。
【００８５】
また、第２画素領域Ｐ２の構成を検討する。上述したように、長さｐｂは１０９μｍである。また、リブ１４０ｂ１、１４０ｂ２の幅Ｌｂ１、Ｌｂ２は１１μｍであり、スリット１２０ｂの幅Ｓｂは９μｍであり、隣接する第２部分電極１２４ｂの間隔Ｅ２は６μｍである。
【００８６】
また、液晶ドメイン領域Ｒ３α、Ｒ３β、Ｒ４α、Ｒ４βの幅Ｗ３α、Ｗ３β、Ｗ４α、Ｗ４βが互いに等しいとし、これらの幅Ｗ３α、Ｗ３β、Ｗ４α、Ｗ４βをＷｙと示すと、Ｗｙは１８μｍである。このように、液晶ドメイン領域Ｒ３α、Ｒ３β、Ｒ４α、Ｒ４βの幅Ｗｙを応答速度および開口率の低下を抑制する範囲内とすることができる。
【００８７】
本実施形態の液晶表示装置１００では、ある画素のピッチＰに対して、ｘ方向に対する第１、第２部分電極１２４ａ、１２４ｂの方向Ｆ１、Ｆ２の角度を４５°から異ならせるのに伴い変化した長さｐａ、ｐｂのそれぞれについて、応答速度および開口率の低下を抑制できる液晶ドメインＤ１〜Ｄ４を形成することにより、比較例１、２の液晶表示装置５００、６００の構成では表示品位の低下したサイズでも、表示品位の低下を抑制することができる。また、応答速度および開口率の低下を抑制できる液晶ドメインＤ１〜Ｄ４を形成可能な長さｐａ、ｐｂに対して角度θを変化させることにより、画素のピッチＰを変化させることができ、設計の自由度を増大させることができる。
【００８８】
なお、上述した説明では、第１画素領域Ｐ１に対応する液晶ドメイン領域Ｒ１およびＲ２の幅Ｗｘは第２画素領域Ｐ２に対応する液晶ドメイン領域Ｒ３α、Ｒ３β、Ｒ４αおよびＲ４βの幅Ｗｙと異なっていたが、幅Ｗｘは幅Ｗｙと等しくてもよい。例えば、Ｗｘ＝Ｗｙ＝２３μｍとしてもよい。上述したように、リブ１４０ａ、１４０ｂ１、１４０ｂ２の幅を１１μｍとし、スリット１２０ｂの幅を９μｍとし、隣接する第１部分電極１２４ａの間隔Ｅ１を６μｍとし、隣接する第２部分電極１２４ｂの間隔Ｅ２を６μｍとすると、長さｐａ、ｐｂはそれぞれ６３μｍ、１２９μｍとなる。この場合、θ＝２６°（＝ｔａｎ-1（６３／１２９））であり、画素のピッチＰは１４４μｍ（＝√（６３2＋１２９2））である。これは、ＦＨＤにおいて約３７インチまたはＷＸにおいて約２６インチに相当する。
【００８９】
なお、上述した説明では、第１部分電極１２４ａに対応する液晶ドメインＤ１、Ｄ２の液晶ドメイン領域の数（Ｎａ）はそれぞれ１であり、第２部分電極１２４ｂに対応する液晶ドメインＤ３、Ｄ４の液晶ドメイン領域の数（Ｎｂ）はそれぞれ２であったが、本発明はこれに限定されない。液晶ドメインＤ１、Ｄ２の液晶ドメイン領域の数（Ｎａ）は１でなくてもよい。また、液晶ドメインＤ３、Ｄ４の液晶ドメイン領域の数（Ｎｂ）は２でなくてもよい。
【００９０】
例えば、第１部分電極１２４ａに対応する液晶ドメインＤ１、Ｄ２の液晶ドメイン領域の数はそれぞれ１であり、第２部分電極１２４ｂに対応する液晶ドメインＤ３、Ｄ４の液晶ドメイン領域の数はそれぞれ３であってもよい。あるいは、液晶ドメインＤ１、Ｄ２の液晶ドメイン領域の数はそれぞれ２であり、液晶ドメインＤ３、Ｄ４の液晶ドメイン領域の数はそれぞれ３であってもよい。なお、ここでは、説明が過度に複雑になるのを避ける目的でＮａ＜Ｎｂとしている。
【００９１】
なお、液晶表示装置１００の構成では、応答速度および開口率の低下の抑制を実現する長さｐａおよびｐｂに基づいて角度θおよび画素のピッチＰを設定してもよく、例えば、液晶ドメインＤ３、Ｄ４に対応する液晶ドメイン領域のそれぞれの数は、液晶ドメインＤ１、Ｄ２に対応する液晶ドメイン領域のそれぞれの数の整数倍であってもよい。ここで、説明を簡略化するために、スリット、リブの幅および隣接する部分電極の間隔を無視し、液晶ドメインＤ１、Ｄ２に対応する液晶ドメイン領域の幅Ｗｘおよび液晶ドメインＤ３、Ｄ４に対応する液晶ドメイン領域の幅Ｗｙが互いに等しいとすると、長さｐａと長さｐｂとの比も整数倍となる。
【００９２】
例えば、長さｐａと長さｐｂとの比が１：２となる画素を実現する場合、θ＝２７°（＝ｔａｎ-1（１／２））となり、長さｐａに対する画素のピッチＰは√５倍となる。また、長さｐａと長さｐｂとの比が１：３となる画素を実現する場合、θ＝１８°（＝ｔａｎ-1（１／３））となり、長さｐａに対する画素のピッチＰは√１０倍となる。以上から理解されるように、長さｐａが一定であってもθが小さくなるほど、長さｐｂおよび画素のピッチＰは増大する。また、長さｐａ、ｐｂの比に基づいて、ｘ方向に対する方向Ｆ１、Ｆ２の角度が変化し、画素のピッチおよびそれに伴う液晶表示装置のサイズが変化する。
【００９３】
ここで、図９から図１１を参照して、比較例３の液晶表示装置７００および比較例４の液晶表示装置８００と比較して本実施形態の液晶表示装置１００の利点を説明する。
【００９４】
まず、図９を参照して、比較例３の液晶表示装置７００を説明する。比較例３の液晶表示装置７００では、画素電極７２４の第１、第２部分電極７２４ａ、７２４ｂはｘ方向に対して４５°方向に延びており、画素電極７２４はｘ方向に対称な形状を有している点で本実施形態の液晶表示装置１００とは異なる。なお、比較例３の液晶表示装置７００では、画素のピッチＰが変化する場合、液晶ドメイン領域Ｒ１〜Ｒ４の幅Ｗは一定であり、画素のピッチＰの増大に伴いリブ７４０ａ、７４０ｂの幅Ｌおよび／または画素電極７２４の間隔Ｅが増大する。ただし、７４０ａ、７４０ｂの幅Ｌがある値よりも大きくなると、別のリブおよびスリットが設けられて、第１部分電極７２４ａに対応する液晶ドメインＤ１、Ｄ２のそれぞれに対応する液晶ドメイン領域の数が増加する。
【００９５】
次に、図１０を参照して比較例４の液晶表示装置８００を説明する。比較例４の液晶表示装置８００では、画素電極８２４が矩形状である点で本実施形態の液晶表示装置１００とは異なる。なお、比較例４の液晶表示装置８００では、対向配向規制構造体８４０Ｄとしてリブ８４０ａ、８４０ｂが設けられており、リブ８４０ａ、８４０ｂのそれぞれの間に対応する画素配向規制構造体８２０Ｄとしてスリット８２０ａ、８２０ｂが設けられている。液晶表示装置８００では、画素のピッチＰが変化しても、画素電極８２４の面積に対するスリット８２０ａ、８２０ｂ、リブ８４０ａ、８４０ｂの面積の比率はほぼ一定であり、画素のピッチＰが増大すると液晶ドメインの面積（開口領域の面積）が増大する。
【００９６】
図１１は、画素のピッチに対する透過率の変化を示すグラフである。なお、ここで、透過率は、背面側の偏光板に入射する直前の光の量に対して液晶表示装置の液晶層、カラーフィルタ層および２つの偏光板を透過した光の量の割合を意味している。なお、図１１において、（Ｎａ，Ｎｂ）のうちＮａは液晶ドメインＤ１および液晶ドメインＤ２を形成する液晶ドメイン領域のそれぞれの数を示すものであり、Ｎｂは液晶ドメインＤ３および液晶ドメインＤ４を形成する液晶ドメイン領域のそれぞれの数を示すものである。
【００９７】
比較例３の液晶表示装置７００において、画素のピッチＰが８９μｍである場合、第１部分電極７２４ａに対応する液晶ドメインＤ１、Ｄ２を形成する液晶ドメイン領域の数はそれぞれ１であり、第２部分電極７２４ｂに対応する液晶ドメインＤ３、Ｄ４を形成する液晶ドメイン領域の数はそれぞれ１である。なお、８９μｍのピッチＰは約１７インチのＷＸＧＡに相当する。また、長さｐａは６３μｍである。この場合、隣接する第１部分電極７２４ａの間隔Ｅは６μｍであり、スリット７４０ａの幅は１１μｍであると、液晶ドメイン領域の幅Ｗは２３μｍとなる。長さｐａに対する液晶ドメイン領域の幅の和は４６／６３であり、これは、透過率約４．３％に相当する。
【００９８】
画素のピッチＰが１８２μｍである場合、第１部分電極７２４ａに対応する液晶ドメインＤ１、Ｄ２を形成する液晶ドメイン領域の数はそれぞれ２であり、第２部分電極７２４ｂに対応する液晶ドメインＤ３、Ｄ４を形成する液晶ドメイン領域の数はそれぞれ２である。なお、１８２μｍのピッチＰは約３４インチのＷＸＧＡに相当する。この場合、長さｐａ、ｐｂは１２９μｍであり、液晶ドメイン領域の幅Ｗは２３μｍであり、隣接する第１部分電極７２４ａの間隔Ｅは６μｍであり、スリットおよびリブの幅の合計は３１μｍである。長さｐａに対する液晶ドメイン領域の幅の和は９２／１２９であり、これは、透過率約５．４％に相当する。
【００９９】
また、約５１インチのＷＸＧＡに相当して画素のピッチＰが２７６μｍである場合、第１部分電極７２４ａに対応する液晶ドメインＤ１、Ｄ２を形成する液晶ドメイン領域の数はそれぞれ３であり、第２部分電極７２４ｂに対応する液晶ドメインＤ３、Ｄ４を形成する液晶ドメイン領域の数はそれぞれ３である。なお、２７６μｍのピッチＰは約５１インチのＷＸＧＡに相当する。この場合、長さｐａ、ｐｂは１９５μｍであり、液晶ドメイン領域の幅Ｗは２３μｍであり、隣接する第１部分電極７２４ａの間隔Ｅは６μｍであり、スリットおよびリブの幅の合計は５１μｍである。長さｐａに対する液晶ドメイン領域の幅の和は１３８／１９５であり、これは、透過率約５．８％に相当する。なお、比較例３の液晶表示装置７００において長さｐａに対する液晶ドメイン領域の幅の和を示す比は略等しいが、画素のピッチＰが大きいほど、透過率が高くなる。
【０１００】
このように、液晶表示装置７００の構成では、画素のピッチが特定のサイズの場合、応答速度の低下を抑制しながら高い透過率（開口率）を実現することができる。しかしながら、画素のピッチが別のサイズである場合、応答速度および開口率のうちの少なくとも一方が低下してしまう。
【０１０１】
例えば、比較例３の液晶表示装置７００において、約２３インチのＷＸＧＡに相当して画素のピッチＰが１２６μｍである場合、第１部分電極７２４ａに対応する液晶ドメインＤ１、Ｄ２を形成する液晶ドメイン領域の数はそれぞれ１であり、第２部分電極７２４ｂに対応する液晶ドメインＤ３、Ｄ４を形成する液晶ドメイン領域の数はそれぞれ１である。この場合、長さｐａは８９μｍである。ここで、応答速度の低下を抑制するために、液晶ドメイン領域の幅Ｗを２３μｍとし、第１部分電極７２４ａの間隔Ｅを６μｍとすると、リブ７４０ａの幅が３７μｍとなる。長さｐａに対する液晶ドメイン領域の幅の和は４６／８９であり、透過率は約３．６％にまで低下する。
【０１０２】
同様に、約５６インチのＦＨＤに相当して画素のピッチＰが２１４μｍである場合、第１部分電極７２４ａに対応する液晶ドメインＤ１、Ｄ２を形成する液晶ドメイン領域の数はそれぞれ２であり、第２部分電極７２４ｂに対応する液晶ドメインＤ３、Ｄ４を形成する液晶ドメイン領域の数はそれぞれ２である。この場合、長さｐａ、ｐｂは１５１μｍである。ここで、応答速度の低下を抑制するために、液晶ドメイン領域の幅Ｗを２３μｍとし、第１部分電極７２４ａの間隔Ｅを６μｍとすると、リブおよびスリットの幅の合計が５３μｍとなる。長さｐａに対する液晶ドメイン領域の幅の和は９２／１５１であり、透過率は約４．８％にまで低下する。このように、液晶表示装置７００の構成では、画素のピッチが特定のサイズの場合、応答速度および開口率の低下を抑制することができるが、画素のピッチが別のサイズである場合、応答速度の低下を抑制すると、開口率（透過率）が低下してしまうことになる。
【０１０３】
また、比較例４の液晶表示装置８００では、画素のピッチＰが増大するにつれて、透過率（開口率）が増大する。なお、液晶表示装置８００では画素電極８２４が矩形状であるため、画素のピッチＰによらず、液晶ドメイン領域Ｒおよびその幅Ｗを最大透過率に相当する値にすることができる。ただし、特許文献１を参照して上述したように、画素のエッジによる配向規制方向とリブによる配向規制方向とが不整合となる領域が存在し、配向乱れが発生する。このように配向の乱れた領域は画素電極８２４の面積とスリット８２０ａ、８２０ｂ、リブ８４０ａ、８４０ｂの面積との差分に相当する開口領域の約１０％である。
【０１０４】
これに対して、本実施形態の液晶表示装置１００では、比較例３の液晶表示装置７００において透過率が減少する画素のピッチＰにおいても高い透過率を実現することができる。また、液晶表示装置１００では、配向乱れの発生が抑制されており、比較例４の液晶表示装置８００よりも高い透過率を実現することができる。
【０１０５】
なお、第１液晶ドメイン領域Ｒ１の幅Ｗ１は第２液晶ドメイン領域Ｒ２の幅Ｗ２と等しかったが、本発明はこれに限定されない。第１、第２液晶ドメイン領域Ｒ１、Ｒ２の幅Ｗ１、Ｗ２が所定の範囲内にあれば、第１、第２液晶ドメイン領域Ｒ１、Ｒ２の幅Ｗ１、Ｗ２は異なっていてもよい。
【０１０６】
同様に、上述した説明では、液晶ドメイン領域Ｒ３α、Ｒ３β、Ｒ４αおよびＲ４βの幅Ｗ３α、Ｗ３β、Ｗ４αおよびＷ４βは互いに等しかったが、本発明はこれに限定されない。幅Ｗ３α、Ｗ３β、Ｗ４αおよびＷ４βは所定の範囲内にあれば、異なっていてもよい。
【０１０７】
例えば、Ｎａ＝１であり、Ｎｂ＝２である場合、ｐａは５３μｍ〜６３μｍであり、ｐｂは１０９μｍ〜１２９μｍである。この場合、角度θは、２２°（＝ｔａｎ-1（５３／１２９））≦θ≦３０°（＝ｔａｎ-1（６３／１０９））となり、画素のピッチＰは、１２１（＝√（５３2＋１０９2））≦Ｐ≦１４３（＝√（６３2＋１２９2））となる。
【０１０８】
また、例えば、Ｎａ＝１であり、Ｎｂ＝３である場合、ｐａは５３μｍ〜６３μｍであり、ｐｂは１６５μｍ〜１９５μｍである。この場合、角度θは、１５°（＝ｔａｎ-1（５３／１９５））≦θ≦２１°（＝ｔａｎ-1（６３／１６５））となり、画素のピッチＰは、１７３（＝√（５３2＋１６５2））≦Ｐ≦２０４（＝√（６３2＋１９５2））となる。
【０１０９】
あるいは、Ｎａ＝２であり、Ｎｂ＝３である場合、ｐａは１０９μｍ〜１２９μｍであり、ｐｂは１６５μｍ〜１９５μｍである。この場合、角度θは、２８°（＝ｔａｎ-1（１０９／１９５））≦θ≦３８°（＝ｔａｎ-1（１２９／１６５））となり、また、画素のピッチＰは、１９８（＝√（１０９2＋１６５2））≦Ｐ≦２３４（＝√（１２９2＋１９５2））となる。
【０１１０】
また、例えば、Ｎａ＝３であり、Ｎｂ＝４である場合、ｐａは１６５μｍ〜１９５μｍであり、ｐｂは２２１μｍ〜２６１μｍである。この場合、角度θは、３２°（＝ｔａｎ-1（１６５／２６１））≦θ≦４１°（＝ｔａｎ-1（１９５／２２１））となり、また、画素のピッチＰは、２７６（＝√（１６５2＋２２１2））≦Ｐ≦３２５（＝√（１９５2＋２６１2））となる。
【０１１１】
なお、上述した説明では、画素電極１２４の下方側（−ｙ方向）に設けられた第２部分電極１２４ｂに対応する液晶ドメインＤ３、Ｄ４のそれぞれの液晶ドメイン領域の数（Ｎｂ）が画素電極１２４の上方側（＋ｙ方向）に設けられた第１部分電極１２４ａに対応する液晶ドメインＤ１、Ｄ２の液晶ドメイン領域の数（Ｎａ）よりも大きかったが、本発明はこれに限定されない。ＮａがＮｂよりも大きくてもよい。
【０１１２】
また、上述した説明では、第２部分電極に対応する液晶ドメインＤ３、Ｄ４のそれぞれの液晶ドメイン領域の数（Ｎｂ）は、第１部分電極１２４ａに対応する液晶ドメインＤ１、Ｄ２のそれぞれの液晶ドメイン領域の数（Ｎａ）とは異なっていたが、本発明はこれに限定されない。第２部分電極に対応する液晶ドメインＤ３、Ｄ４のそれぞれの液晶ドメイン領域の数（Ｎｂ）は、第１部分電極１２４ａに対応する液晶ドメインＤ１、Ｄ２のそれぞれの液晶ドメイン領域（Ｎａ）と等しくてもよい。
【０１１３】
例えば、Ｎａ＝Ｎｂ＝１である場合、ｐａ、ｐｂは５３μｍ〜６３μｍ（ただし、ｐａ＝ｐｂを除く。）である。この場合、角度θは、４０°（＝ｔａｎ-1（５３／６３））≦θ≦５０°（＝ｔａｎ-1（６３／５３））（ただしθ＝４５°を除く）となり、また、画素のピッチＰは、７４（＝√（５３2＋５３2））＜Ｐ＜８９（＝√（６３2＋６３2））となる。
【０１１４】
また、例えば、Ｎａ＝Ｎｂ＝２である場合、ｐａ、ｐｂは１０９μｍ〜１２９μｍ（ただし、ｐａ＝ｐｂを除く。）である。この場合、角度θは、４０°（＝ｔａｎ-1（１０９／１２９））≦θ≦５０°（＝ｔａｎ-1（１２９／１０９））（ただしθ＝４５°を除く）となり、また、画素のピッチＰは、１５４（＝√（１０９2＋１０９2））＜Ｐ＜１８２（＝√（１２９2＋１２９2））となる。
【０１１５】
また、Ｎａ＝Ｎｂ＝３である場合、ｐａ、ｐｂは１６５μｍ〜１９５μｍ（ただし、ｐａ＝ｐｂを除く。）である。この場合、角度θは、４０°（＝ｔａｎ-1（１６５／１９５））≦θ≦５０°（＝ｔａｎ-1（１９５／１６５））（ただしθ＝４５°を除く）となり、また、画素のピッチＰは、２３３（＝√（１６５2＋１６５2））＜Ｐ＜２７６（＝√（１９５2＋１９５2））となる。
【０１１６】
なお、上述した説明では、画素電極１２４は、１つの第１部分電極１２４ａと、１つの第２部分電極１２４ｂとから構成されていたが、本発明はこれに限定されない。図１２に示すように、画素電極１２４は、１つの第１部分電極１２４ａと、２つの第２部分電極１２４ｂ１、１２４ｂ２とを含んでいてもよい。この場合、第１部分電極１２４ａは、第２部分電極１２４ｂ１と第２部分電極１２４ｂ２との間に設けられている。
【０１１７】
なお、上述したように、長さｐａおよびｐｂが互いに異なる場合、第１、第２部分電極１２４ａの幅ＷａおよびＷｂは互いに異なってもよい。ただし、幅ＷａおよびＷｂが互いに等しいことにより、応答特性などの特性の均一化を図ることができる。
【０１１８】
なお、上述した説明では、第１部分電極１２４ａは第２部分電極１２４ｂと連続していたが、本発明はこれに限定されない。第１部分電極１２４ａは第２部分電極１２４ｂと分離して設けられてもよい。
【０１１９】
また、上述した説明では、リブの幅、スリットの幅、および、隣接する部分電極の間隔を、それぞれ固定の値（具体的には、１１μｍ、９μｍおよび６μｍ）としたが、本発明はこれに限定されない。リブの幅、スリットの幅、および、隣接する部分電極の間隔のそれぞれは所定の範囲内にあってもよい。
【産業上の利用可能性】
【０１２０】
本発明によれば、さまざまなピッチの画素に対して表示品位の低下を抑制した液晶表示装置を提供することができる。
【図面の簡単な説明】
【０１２１】
【図１】本発明による液晶表示装置の実施形態の模式図である。
【図２】図１に示した液晶表示装置の画素構造を示す模式的な平面図である。
【図３】図１に示した液晶表示装置の画素構造を示す模式的な平面図である。
【図４】図１に示した液晶表示装置の画素構造を示す模式的な平面図である。
【図５】液晶ドメイン領域の幅と透過率との関係を示すグラフである。
【図６】液晶ドメイン領域の幅と応答時間との関係を示すグラフである。
【図７】（ａ）は比較例１の液晶表示装置を示す模式図であり、（ｂ）は比較例１の液晶表示装置の画素構造を示す模式的な平面図である。
【図８】（ａ）は比較例２の液晶表示装置を示す模式図であり、（ｂ）は比較例２の液晶表示装置の画素構造を示す模式的な平面図である。
【図９】比較例３の液晶表示装置を示す模式的な平面図である。
【図１０】比較例４の液晶表示装置を示す模式的な平面図である。
【図１１】画素のピッチに対する透過率の変化を示すグラフである。
【図１２】本発明による液晶表示装置の実施形態の模式図である。
【符号の説明】
【０１２２】
１００  液晶表示装置
１２０  アクティブマトリクス基板
１２２  絶縁基板
１２４  画素電極
１２４ａ  第１部分電極
１２４ｂ  第２部分電極
１４０  対向基板
１４２  絶縁基板
１４４  対向電極
１６０  液晶層
１６２  液晶分子
【図１】
2010048905.tif 000003
【図２】
2010048905.tif 000004
【図３】
2010048905.tif 000005
【図４】
2010048905.tif 000006
【図５】
2010048905.tif 000007
【図６】
2010048905.tif 000008
【図７】
2010048905.tif 000009
【図８】
2010048905.tif 000010
【図９】
2010048905.tif 000011
【図１０】
2010048905.tif 000012
【図１１】
2010048905.tif 000013
【図１２】
2010048905.tif 000014